(57)【要約】【課題】空調ユニットのケーシングの内部に配置される複数の制御ユニット間を引き回す配線数を低減し、その結果、ノイズを抑制する。【解決手段】室外ユニット１は、ケーシング２０と、制御基板８５およびインバータ基板８０〜８２を備える。制御基板８５およびインバータ基板８０〜８２は、ケーシング２０の内部に配置される。制御基板８５およびインバータ基板８０〜８２間における通信は、赤外線を介して無線で行われる。また、制御基板８５およびインバータ基板８０〜８２を収納する電装品箱１０には、赤外線を乱反射させる凹凸面が形成されている。【選択図】図３
2008101867.tif 000002
【特許請求の範囲】
【請求項１】
ケーシング（２０）と、
前記ケーシング（２０）の内部に配置される第１制御ユニット（８０〜８２，８５，１８０）と、
前記ケーシング（２０）の内部に配置され、前記第１制御ユニット（８０〜８２，８５，１８０）と無線通信を行う第２制御ユニット（８０〜８２，８５，１８０）と、
を備える、空調ユニット（１，１０１）。
【請求項２】
前記第１制御ユニット（８０〜８２，８５，１８０）と前記第２制御ユニット（８０〜８２，８５，１８０）とは、赤外線通信を行う、
請求項１に記載の空調ユニット（１，１０１）。
【請求項３】
前記第１制御ユニット（８０〜８２，８５，１８０）および前記第２制御ユニット（８０〜８２，８５，１８０）の一方の制御ユニットから発信された赤外線を他方の制御ユニットに向かうように反射させる反射部材（１０，１１０，１５０）、
をさらに備える、
請求項２に記載の空調ユニット（１，１０１）。
【請求項４】
前記反射部材（１０，１１０）は、赤外線を乱反射させる凹凸面を有する、
請求項３に記載の空調ユニット（１，１０１）。
【請求項５】
前記第１制御ユニット（８０〜８２，８５，１８０）を収納する電装品箱（１０，１１０）、
をさらに備え、
前記電装品箱（１０，１１０）は、前記第１制御ユニット（８０〜８２，８５，１８０）および前記第２制御ユニット（８０〜８２，８５，１８０）の一方の制御ユニットから発信された赤外線を他方の制御ユニットに向かうように反射させる反射面を有する、
請求項２に記載の空調ユニット（１，１０１）。
【請求項６】
前記電装品箱（１０）は、前記第２制御ユニット（８０〜８２，８５）をさらに収納する、
請求項５に記載の空調ユニット（１）。
【請求項７】
前記反射面は、赤外線を乱反射させるような凹凸形状を有している、
請求項５または６に記載の空調ユニット（１，１０１）。
【請求項８】
前記第１制御ユニット（８０〜８２，８５，１８０）を収納し、第１孔（６１，７０，７１，７２，１１０ａ）が形成される第１電装品箱（１０，１１０）と、
前記第２制御ユニット（８０〜８２，８５，１８０）を収納し、第２孔（６１，７０，７１，７２，１１０ａ）が形成される第２電装品箱（１０，１１０）と、
をさらに備え、
前記第１制御ユニットおよび前記第２制御ユニットの一方の制御ユニットから発信された赤外線は、前記第１孔および前記第２孔を介して他方の制御ユニットに到達する、
請求項２に記載の空調ユニット（１０１）。
【請求項９】
前記第１制御ユニット（８０〜８２，８５，１８０）は、空調運転を制御するマイコンを有する制御基板（８５，１８０）、または、インバータ部品（３１ａ，４０，４１）を制御するインバータ基板（８０〜８２）であり、
前記第２制御ユニット（８０〜８２，８５，１８０）は、空調運転を制御するマイコンを有する制御基板（８５，１８０）、または、インバータ部品（３１ａ，４０，４１）を制御するインバータ基板（８０〜８２）である、
請求項１から８のいずれかに記載の空調ユニット（１，１０１）。
【請求項１０】
前記第１制御ユニットおよび前記第２制御ユニットの少なくとも一方（８５）は、外部通信機器と無線通信可能である、
請求項１から９のいずれかに記載の空調ユニット（１，１０１）。
【発明の詳細な説明】
【技術分野】
【０００１】
本発明は、空調ユニットに関し、特に、複数の制御ユニットを備える空調ユニットに関する。
【背景技術】
【０００２】
空気調和装置の室外ユニットや室内ユニット等の空調ユニットには、そのケーシングの内部にプリント基板等の制御ユニットが複数搭載されていることがある。このような複数の制御ユニットは、互いにハーネス等の配線を介して接続されており、互いにデータをやりとりしながら空調運転全体を統括したり、インバータ圧縮機やインバータファン等の部品を制御したりしている。
【０００３】
そして、複数の制御ユニット間で配線を引き回す場合には、当該配線からノイズが発生したり、当該配線が発熱部品の影響を受けたり等することがないように、その配置を工夫する必要がある（例えば、特許文献１）。
【特許文献１】特開平１０−２８４８１０号公報
【発明の開示】
【発明が解決しようとする課題】
【０００４】
しかしながら、配線の配置をいかに工夫しようとも、配線からのノイズを完全になくすることは困難であり、配線からのノイズは依然として残留し得る。特に、近年では、空調ユニット自体の小型化に伴って配線の配置の自由度が下がってきており、配線の配置に工夫を施すことにより配線からのノイズを抑制することは益々困難なものとなってきている。
【０００５】
本発明の課題は、空調ユニットのケーシングの内部に配置される複数の制御ユニット間を引き回す配線数を低減し、その結果、ノイズを抑制することにある。
【課題を解決するための手段】
【０００６】
第１発明にかかる空調ユニットは、ケーシングと、第１制御ユニットと、第２制御ユニットとを備える。第１制御ユニットは、ケーシングの内部に配置される。第２制御ユニットは、ケーシングの内部に配置され、第１制御ユニットと無線通信を行う。
【０００７】
この空調ユニットでは、そのケーシングの内部に配置される複数の制御ユニット（第１制御ユニットおよび第２制御ユニット）間における通信が無線で行われる。これにより、この空調ユニットでは、そのケーシングの内部に配置される複数の制御ユニット間を引き回す配線数を低減することができ、その結果、ノイズを抑制することができる。
【０００８】
第２発明にかかる空調ユニットは、第１発明にかかる空調ユニットであって、第１制御ユニットと第２制御ユニットとは、赤外線通信を行う。
【０００９】
この空調ユニットでは、そのケーシングの内部に配置される複数の制御ユニット間における通信が赤外線を介して行われる。これにより、この空調ユニットでは、ノイズをより抑制することができる。
【００１０】
第３発明にかかる空調ユニットは、第２発明にかかる空調ユニットであって、反射部材をさらに備える。反射部材は、第１制御ユニットおよび第２制御ユニットの一方の制御ユニットから発信された赤外線を他方の制御ユニットに向かうように反射させる。
【００１１】
一般に、赤外線には、その進路に障害物が存在する場合には通信が困難になるという性質がある。そこで、この空調ユニットには、一方の制御ユニットから発信された赤外線を他方の制御ユニットまで届きやすくする工夫が施されている。具体的には、この空調ユニットには、赤外線の反射部材が設けられている。これにより、この空調ユニットでは、障害物が存在する場合であっても、複数の制御ユニット間における赤外線通信を精度良く実現することができる。
【００１２】
第４発明にかかる空調ユニットは、第３発明にかかる空調ユニットであって、反射部材は、赤外線を乱反射させる凹凸面を有する。
【００１３】
この空調ユニットでは、赤外線の反射部材に赤外線を乱反射させる凹凸面が形成されている。これにより、この空調ユニットでは、複数の制御ユニット間における赤外線通信をより精度良く実現することができる。
【００１４】
第５発明にかかる空調ユニットは、第２発明にかかる空調ユニットであって、電装品箱をさらに備える。電装品箱は、第１制御ユニットを収納する。電装品箱は、反射面を有する。反射面は、第１制御ユニットおよび第２制御ユニットの一方の制御ユニットから発信された赤外線を他方の制御ユニットに向かうように反射させる。
【００１５】
一般に、赤外線には、その進路に障害物が存在する場合には通信が困難になるという性質がある。そこで、この空調ユニットには、一方の制御ユニットから発信された赤外線を他方の制御ユニットまで届きやすくする工夫が施されている。具体的には、この空調ユニットでは、少なくとも１つの制御ユニットを収納する電装品箱に赤外線の反射面が形成されている。これにより、この空調ユニットでは、障害物が存在する場合であっても、複数の制御ユニット間における赤外線通信を精度良く実現することができる。
【００１６】
第６発明にかかる空調ユニットは、第５発明にかかる空調ユニットであって、電装品箱は、第２制御ユニットをさらに収納する。
【００１７】
この空調ユニットでは、１つの電装品箱に収納されている複数の制御ユニット間における通信が赤外線を介して行われる。一般に、電装品箱内における制御ユニット等の各部品の配置は、ノイズの他、各部品からの発熱量を考慮して決定されることが多い。また、こうした各部品の配置は、電装品箱の形状およびサイズにも依存することになる。
【００１８】
一方、第６発明にかかる空調ユニットでは、電装品箱に赤外線の反射面が形成されているため、その電装品箱内での複数の制御ユニットの配置が発熱等の対策を優先して決定される場合であっても、複数の制御ユニット間における赤外線通信を精度良く実現することができる。
【００１９】
第７発明にかかる空調ユニットは、第５発明または第６発明にかかる空調ユニットであって、反射面は、赤外線を乱反射させるような凹凸形状を有している。
【００２０】
この空調ユニットでは、少なくとも１つの制御ユニットを収納する電装品箱に赤外線を乱反射させる凹凸面が形成されている。これにより、この空調ユニットでは、複数の制御ユニット間における赤外線通信をより精度良く実現することができる。
【００２１】
第８発明にかかる空調ユニットは、第２発明にかかる空調ユニットであって、第１電装品箱と、第２電装品箱とをさらに備える。第１電装品箱は、第１制御ユニットを収納し、第２電装品箱は、第２制御ユニットを収納する。第１電装品箱には、第１孔が形成されており、第２電装品箱には、第２孔が形成されている。第１制御ユニットおよび第２制御ユニットの一方の制御ユニットから発信された赤外線は、第１孔および第２孔を介して他方の制御ユニットに到達する。
【００２２】
この空調ユニットでは、別々の電装品箱に収納されている複数の制御ユニット間における通信が赤外線を介して行われる。そして、これらの複数の電装品箱にはそれぞれ孔が形成されており、複数の制御ユニット間での赤外線の授受がこれらの孔（第１孔および第２孔）を介して行われるようになっている。これにより、この空調ユニットでは、複数の制御ユニットが別々の電装品箱に収納されている場合であっても、複数の制御ユニット間における赤外線通信を精度良く実現することができる。
【００２３】
第９発明にかかる空調ユニットは、第１発明から第８発明のいずれかにかかる空調ユニットであって、第１制御ユニットは、空調運転を制御するマイコンを有する制御基板、または、インバータ部品を制御するインバータ基板である。第２制御ユニットは、空調運転を制御するマイコンを有する制御基板、または、インバータ部品を制御するインバータ基板である。
【００２４】
この空調ユニットでは、複数の制御基板間、複数のインバータ基板間、または、制御基板とインバータ基板との間における通信が無線で行われる。これにより、この空調ユニットでは、制御基板、インバータ基板、またはその双方に起因して生じるノイズを抑制することができる。
【００２５】
第１０発明にかかる空調ユニットは、第１発明から第９発明のいずれかにかかる空調ユニットであって、第１制御ユニットおよび第２制御ユニットの少なくとも一方は、外部通信機器と無線通信可能である。
【００２６】
一般に、空調ユニットのメンテナンス時等には、制御ユニットが点検用のパソコン等の外部通信機器に接続され、空調ユニットの状態がモニタリングされることがある。そして、第１０発明にかかる空調ユニットでは、こうした制御ユニットと外部通信機器との間における通信が無線で行われるようになっている。これにより、この空調ユニットでは、メンテナンス時等に制御ユニットを簡易に外部通信機器に接続することができる。
【発明の効果】
【００２７】
第１発明にかかる空調ユニットでは、そのケーシングの内部に配置される複数の制御ユニット間を引き回す配線数を低減することができ、その結果、ノイズを抑制することができる。
【００２８】
第２発明にかかる空調ユニットでは、ノイズをより抑制することができる。
【００２９】
第３発明にかかる空調ユニットでは、障害物が存在する場合であっても、複数の制御ユニット間における赤外線通信を精度良く実現することができる。
【００３０】
第４発明にかかる空調ユニットでは、複数の制御ユニット間における赤外線通信をより精度良く実現することができる。
【００３１】
第５発明にかかる空調ユニットでは、障害物が存在する場合であっても、複数の制御ユニット間における赤外線通信を精度良く実現することができる。
【００３２】
第６発明にかかる空調ユニットでは、その電装品箱内での複数の制御ユニットの配置が発熱等の対策を優先して決定される場合であっても、複数の制御ユニット間における赤外線通信を精度良く実現することができる。
【００３３】
第７発明にかかる空調ユニットでは、複数の制御ユニット間における赤外線通信をより精度良く実現することができる。
【００３４】
第８発明にかかる空調ユニットでは、複数の制御ユニットが別々の電装品箱に収納されている場合であっても、複数の制御ユニット間における赤外線通信を精度良く実現することができる。
【００３５】
第９発明にかかる空調ユニットでは、制御基板、インバータ基板、またはその双方に起因して生じるノイズを抑制することができる。
【００３６】
第１０発明にかかる空調ユニットでは、メンテナンス時等に制御ユニットを簡易に外部通信機器に接続することができる。
【発明を実施するための最良の形態】
【００３７】
以下、図面を参照して、本発明の第１実施形態および第２実施形態について説明する。
【００３８】
＜第１実施形態＞
〔室外ユニット〕
図１に、本発明の第１実施形態にかかる空気調和装置の室外ユニット１の外観斜視図を示す。なお、図１においては、ケーシング２０の内部に配置される電装品箱１０、熱交換器３０および圧縮機３１を点線で示している。
【００３９】
室外ユニット１は、複数の室内ユニット（図示されず）に冷媒連絡配管を介して並列に接続され、これらの複数の室内ユニット等とともにマルチタイプの空気調和装置を構成している。室外ユニット１は、ビルの屋上等に設置され、室内ユニットは、そのビルの各フロアの天井等に設置される。室外ユニット１のケーシング２０の内部には、熱交換器３０、３台の圧縮機３１ａ〜３１ｃ（まとめて、圧縮機３１）、２台の送風ファン４０，４１および電装品箱１０が収納されている。
【００４０】
ケーシング２０は、略直方体形状であり、主として、正面板２１と、左側面板２２と、背面板２３と、右側面板２４と、天板２５と、底板２６とから構成されている。なお、本明細書中において、左右をいうときには、正面板２１側から見た場合を基準とするものとする。
【００４１】
側面板２２，２４には、ケーシング２０内に空気を吸い込むための空気吸込口２０ａが設けられている。また、背面板２３は、格子状の軟骨線のグリルとなっている。天板２５には、円孔が２箇所に設けられており、これらの円孔は、略円筒形状のベルマウスとともに室外ユニット１の空気吹出口２０ｂを形成している。
【００４２】
また、正面板２１は、天板２５の下側に配置される上部正面板２１ａと、上部正面板２１ａの下側かつ左側に配置される左側中部正面板２１ｂと、左側中部正面板２１ｂの下側に配置される左側下部正面板２１ｃと、上部正面板２１ａの下側かつ右側に配置される右側中部正面板２１ｄと、右側中部正面板２１ｄの下側に配置される右側下部正面板２１ｅとから構成されている。このように、正面板２１は、上中下または左右に５分割の構造になっており、室外ユニット１のメンテナンス時に正面板２１の前に立つ作業者は、板２１ａ〜２１ｅの一部のみを取り外すことにより、メンテナンスの対象となる部品にアクセスすることができる。
【００４３】
底板２６上には、熱交換器３０や圧縮機３１等の機器やこれらの機器を接続する配管等が据え付けられている。熱交換器３０は、左側面板２２、背面板２３および右側面板２４に対向するように配置されている。圧縮機３１は、インバータ基板８０（図４参照）により回転数制御が為される１台の容量可変の圧縮機（以下、インバータ圧縮機という。）３１ａと、オンオフ制御が為される２台の定容量の圧縮機（以下、定容量圧縮機という。）３１ｂ，３１ｃとが組み合わされたものである。
【００４４】
送風ファン４０，４１は、複数のプロペラ翼を有するプロペラファンであり、ケーシング２０内の上部に設けられた空気吹出口２０ｂ付近に図示されないステー等によって支持されることにより設置されている。送風ファン４０，４１は、それぞれファン用インバータ基板８１，８２により回転数制御が為されるインバータ部品である。そして、送風ファン４０，４１が駆動されると、ケーシング２０内に気流が形成される。すなわち、空気が側面板２２，２４および背面板２３を介してケーシング２０の外部から内部へと吸い込まれ、熱交換器３０を通り抜けて送風ファン４０，４１の近傍の空間に達し、その後、空気吹出口２０ｂを介してケーシング２０の内部から外部へと吹き出されることになる。
【００４５】
そして、ケーシング２０内の右上かつ正面板２１側には、電装品箱１０が図示されないステー等に支持されることにより設置されている。電装品箱１０は、インバータ圧縮機３１ａ用のインバータ基板８０、送風ファン４０，４１用のインバータ基板８１，８２、制御基板８５等の電気部品を収納する箱体である（図３および図４参照）。電装品箱１０は、右側中部正面板２１ｄに対向するように配置されており、右側中部正面板２１ｄを取り外すことにより室外ユニット１の正面板２１側からアクセス可能になっている。
【００４６】
〔電装品箱〕
以下、図２〜図６を参照して、電装品箱１０について詳しく説明する。ここで、図２は、電装品箱１０の外観斜視図である。図３は、箱本体１２内の正面図であって、手前側空間Ｃにおける電気部品の配置を示しており、図４は、仕切部材１３を取り外した状態での箱本体１２内の正面図であって、奥側空間Ｄにおける電気部品の配置を示している。図５は、後面部１２ｂ全体を見渡せるような角度から見た箱本体１２の外観斜視図である。図６は、箱本体１２を鉛直下方から見た図である。
【００４７】
電装品箱１０は、主として、蓋部材１１と、箱本体１２と、仕切部材１３とから構成されている。箱本体１２は、一方向が開口した略直方体形状の箱状の部材である。蓋部材１１は、箱本体１２にネジ留めされることにより箱本体１２の開口を覆う略矩形形状の板状の部材である。仕切部材１３は、箱本体１２の内部空間をケーシング２０の正面板２１側（すなわち、蓋部材１１側）の手前側空間Ｃと、ケーシング２０の背面板２３側（すなわち、後述する後面部１２ｂ側）の奥側空間Ｄとに仕切るように設けられている。すなわち、電装品箱１０は、２層構造になっている。
【００４８】
（１）箱本体
箱本体１２は、板金製の部材であり、主として、１対の側面部１２ａと、後面部１２ｂと、上面部１２ｃと、下面部１２ｄとから構成されている。後面部１２ｂは、箱本体１２の底に相当し、側面部１２ａ、上面部１２ｃおよび下面部１２ｄは、後面部１２ｂの四辺に連続する箱本体１２の側壁に相当する。
【００４９】
図５に示されるように、後面部１２ｂには、ケーシング２０の背面板２３側に向かって突出する放熱フィン７５〜７７が設けられている。これらの放熱フィン７５〜７７は、それぞれ電装品箱１０内に配置されるインバータ基板８０〜８２に対応する位置に配置されており、これらのインバータ基板８０〜８２の冷却に寄与している。
【００５０】
図６に示されるように、下面部１２ｄは、箱本体１２の底板２６側の面を規定する部分であり、蓋部材１１側が切り欠かれている。この切り欠きによる開口７０は、電装品箱１０の外部と電装品箱１０の手前側空間Ｃとを連通させており、電装品箱１０に収納された電気部品の配線が通されるとともに、空気の通路ともなる。また、下面部１２ｄには、右側かつ後面部１２ｂよりの位置にスリット状に形成された複数の開口７１が並んで形成されており、さらに複数の開口７１の隣には円形の開口７２が形成されている。開口７１，７２は、電装品箱１０の外部と電装品箱１０の奥側空間Ｄとを連通させている。開口７２は、電装品箱１０に収納された電気部品からの配線が通される。そして、送風ファン４０，４１が駆動すると、ケーシング２０内において下方から上方へと向かう気流が発生し、開口７０〜７２を介して電装品箱１０内へと空気が流入する。
【００５１】
（２）蓋部材
蓋部材１１は、板金製の部材である。図２に示されるように、蓋部材１１の上端部６０は、上方かつ電装品箱１０の内部へと向かって傾斜している。これにより、蓋部材１１が箱本体１２に固定された状態において、上端部６０付近に開口６１が形成されることになり、電装品箱１０の手前側空間Ｃと電装品箱１０の外部とが連通する。
【００５２】
（３）仕切部材
仕切部材１３は、板金製の部材であり、図３に示されるように、主として、上部仕切部材１３ａと、下部仕切部材１３ｂとから構成されている。上部仕切部材１３ａは、箱本体１２内の上部に配置されており、下部仕切部材１３ｂは、箱本体１２内の下部に配置されている。
【００５３】
上部仕切部材１３ａと上面部１２ｃとの間には、手前側空間Ｃと奥側空間Ｄとを連通させる連通口５０が形成されており、上下方向に並ぶ上部仕切部材１３ａと下部仕切部材１３ｂとの間には、手前側空間Ｃと奥側空間Ｄとを連通させる連通口５１が形成されている。
【００５４】
（４）電気部品の配置
次に、図３および図４を参照して、電装品箱１０内における電気部品の配置について説明する。
【００５５】
奥側空間Ｄに収納される電気部品としては、インバータ圧縮機３１ａ用のインバータ基板８０、送風ファン４０，４１用のインバータ基板８１，８２、リアクタ８３およびノイズフィルタ８４等があり、手前側空間Ｃに収納される電気部品としては、制御基板８５および端子台８６等がある。これらの電気部品のうち、インバータ基板８０〜８２およびリアクタ８３は、運転中の発熱量が大きい高発熱部品であり、ノイズフィルタ８４、制御基板８５および端子台８６は、運転中の発熱量が小さい低発熱部品である。制御基板８５には、空調運転を制御するマイコン（図示されない）が搭載されている。
【００５６】
高発熱部品であるインバータ基板８０〜８２およびリアクタ８３は、運転中の冷却を促進するため、奥側空間Ｄに配置されている。具体的には、インバータ圧縮機３１ａ用のインバータ基板８０は、後面部１２ｂの左上であって図５に示す放熱フィン７５に対応する位置に、送風ファン４０用のインバータ基板８１は、後面部１２ｂの右上であって図５に示す放熱フィン７６に対応する位置に、送風ファン４１用のインバータ基板８２は、後面部１２ｂの右下であって図５に示す放熱フィン７７に対応する位置に、リアクタ８３は、後面部１２ｂ上であってインバータ基板８１の上側に配置されている。
【００５７】
また、端子台８６および制御基板８５は、室外ユニット１の設置後にアクセスをする頻度が多いという特性を考慮して、手前側空間Ｃに配置されている。具体的には、端子台８６は下部仕切部材１３ｂの左側に装着されており、制御基板８５は上部仕切部材１３ａの右側に装着されている。一方、室外ユニット１の設置後にアクセスする頻度が少ないノイズフィルタ８４は、奥側空間Ｄに配置されている。具体的には、ノイズフィルタ８４は、後面部１２ｂの左下に配置されている。なお、本実施形態では採用されていないが、上部仕切部材１３ａの左側に付加的に制御基板８５とは別の制御基板を装着することも可能である。そして、この付加的に装着される制御基板も、制御基板８５と同様に、後述するような赤外線通信素子を搭載していてもよい。
【００５８】
以上より、電気部品８０〜８６は、電装品箱１０内において互いに対面することなく略平行に配置されている。
【００５９】
（５）電装品箱内の空気の流れ
室外ユニット１の運転中は、送風ファン４０，４１により、電装品箱１０内にも気流が形成されることになる。すなわち、ケーシング２０の外部から内部へと吸い込まれた空気が、開口７０を介して電装品箱１０の手前側空間Ｃへと流入するとともに、開口７１，７２を介して電装品箱１０の奥側空間Ｄにも流入する。開口７０を介して電装品箱１０の手前側空間Ｃへと取り込まれた空気は、下部仕切部材１３ｂに沿って連通口５１付近へと進み、図示されない風量調節板によりその大部分が連通口５１を通り抜けて奥側空間Ｄへと導かれる。一方、開口７１を介して奥側空間Ｄに取り込まれた空気は、ファン用インバータ基板８２を冷却しながら後面部１２ｂに沿って上方へと進み、連通口５１付近で手前側空間Ｃからの流れと合流する。合流後の空気は、奥側空間Ｄの上部に配置されているインバータ基板８０，８１およびリアクタ８３を冷却しながら奥側空間Ｄをさらに上昇する。そして、上面部１２ｃ付近に達した空気は、上部仕切部材１３ａと上面部１２ｃとの間に形成されている連通口５０を介して再び手前側空間Ｃへと戻り、電装品箱１０の蓋部材１１に形成されている開口６１を介して電装品箱１０の外部へと流出する。
【００６０】
（６）電気部品間の通信
図３および図４に示されるように、インバータ基板８０〜８２および制御基板８５には、それぞれ赤外線通信素子８０ａ〜８２ａ，８５ａが搭載されている。これにより、インバータ基板８０〜８２および制御基板８５は、互いに赤外線を介した無線通信が可能となっており、互いにデータをやりとりしながら空調運転全体を統括したり、インバータ圧縮機３１ａや送風ファン４０，４１等の部品を制御したりしている。
【００６１】
そして、電装品箱１０の蓋部材１１および箱本体１２の内側表面の略全体、ならびに仕切部材１３の表面の略全体が、赤外線を乱反射するような凹凸形状を有するように加工されている。これにより、奥側空間Ｄにおいて概ね同一平面上に配置されている赤外線通信素子８０ａ〜８２ａ間での赤外線の授受、ならびに、手前側空間Ｃに配置されている赤外線通信素子８５ａと奥側空間Ｄに配置されている赤外線通信素子８０ａ〜８２ａとの間での赤外線の授受が容易になっている。
【００６２】
例えば、手前側空間Ｃ内の赤外線通信素子８５ａから発信された赤外線は、蓋部材１１の内側表面で反射して連通口５０または連通口５１を通り抜け、奥側空間Ｄ内の赤外線通信素子８０ａ〜８２ａまで到達することができる。また、例えば、奥側空間Ｄ内の赤外線通信素子８０ａから発信された赤外線は、上部仕切部材１３ａまたは下部仕切部材１３ｂの後面部１２ｂに対向する側の面で反射して、同じく奥側空間Ｄ内の赤外線通信素子８１ａ，８２ａまで到達することができる。
【００６３】
また、電装品箱１０の内外は、電装品箱１０に設けられている開口６１，７０，７１，７２を介して連通している。また、赤外線通信素子８０ａ〜８２ａ，８５ａにおいて実装されている赤外線通信プロトコルは、一般に空気調和装置の点検に用いられるような汎用のパソコンに搭載されている汎用の赤外線通信素子において実装される汎用の赤外線通信プロトコルである。したがって、メンテナンス時においては、ケーシング２０の正面板２１（より正確には、少なくとも右側中部正面板２１ｄ）を取り外すだけで、制御基板８５に赤外線通信機能を有する機器との間で通信を行わせることができる。
【００６４】
〔特徴〕
第１実施形態の室外ユニット１には、以下のような特徴がある。
【００６５】
（１）
室外ユニット１では、同じ電装品箱１０に収納されているインバータ基板８０〜８２および制御基板８５間における通信が無線で行われている。したがって、室外ユニット１では、これらの制御ユニット８０〜８２，８５間で配線を引き回す必要がなく、その結果、ノイズを抑制し、低コスト化や小型化を図ることが可能となっている。
【００６６】
（２）
室外ユニット１では、インバータ基板８０〜８２および制御基板８５間における無線通信が赤外線を介して行われているため、ノイズが極小化されている。また、ケーシング２０の内側表面が赤外線を反射させるため、これらの制御ユニット８０〜８２，８５間で授受される赤外線は、ケーシング２０の外部へと漏れにくくなっている。したがって、室外ユニット１では、制御ユニット８０〜８２，８５間で送受信されるデータが傍受されにくくなっており、制御ユニット８０〜８２，８５間の通信のセキュリティが十分に確保されている。さらに、従来の電気的な有線通信に付随する絶縁処理も不要となっている。
【００６７】
（３）
一般に、赤外線には、その進路に障害物が存在する場合には通信が困難になるという性質がある。したがって、複数の制御ユニット間での通信を可能にするためには、制御ユニットどうし（より正確には、赤外線通信素子どうし）を対面させる必要があるが、電装品箱内における制御ユニットの配置は、各電気部品からの発熱量や電装品箱の形状およびサイズ等の要因を考慮して決定する必要があり、制御ユニットどうしを対面させることは必ずしも容易ではない。一方、室外ユニット１では、電装品箱１０が板金製であり、さらには、電装品箱１０の蓋部材１１および箱本体１２の内側表面の略全体、ならびに仕切部材１３の表面の略全体が、赤外線を乱反射するような凹凸形状を有するように加工されている。そのため、インバータ基板８０〜８２および制御基板８５間における赤外線の授受が確実に行われるようになっている。
【００６８】
（４）
赤外線通信素子８０ａ〜８２ａ，８５ａでは、汎用の通信プロトコルが実装されており、この通信プロトコルは、一般に空気調和装置の点検に用いられるような汎用のパソコンと共通するものとなっている。したがって、メンテナンス時等に制御基板８５を容易に外部通信機器に接続させることができる。
【００６９】
〔変形例〕
（Ａ）
本発明は、ビル用マルチタイプ以外の空気調和装置にも適用可能である。また、本発明は、室外ユニットにのみ適用されるものではなく、例えば、室内ユニットにも適用可能である。すなわち、本発明は、制御基板やインバータ基板等の複数の制御ユニットを備える任意の空調ユニットに適用可能である。
【００７０】
（Ｂ）
制御基板８５およびインバータ基板８０〜８２間においては、任意の態様の無線通信が可能であるが、ノイズを抑制する観点からは光を介する通信がより好ましい。特に、赤外線を介する場合には、コストを抑えることができる。
【００７１】
（Ｃ）
制御基板８５およびインバータ基板８０〜８２以外の制御ユニットの行う通信についても、無線化することが可能である。また、このような制御ユニットとしては、例えば、インバータ圧縮機３１ａ、定容量圧縮機３１ｂ，３１ｃおよび送風ファン４０，４１のモータ等がある。この場合、これらのモータと、制御基板８５やインバータ基板８０〜８２との配線が不要になるため、さらにノイズが抑制され、コストが低減されることになる。このように、本発明による無線通信化は、電装品箱の内外に配置されている部品どうしに対しても適用可能である。
【００７２】
（Ｄ）
電装品箱１０の蓋部材１１および箱本体１２の内側表面の略全体、ならびに仕切部材１３の表面の略全体が、赤外線を乱反射するような凹凸形状を有するように加工されていなくてもよい。例えば、蓋部材１１および箱本体１２の内側表面全体、ならびに仕切部材１３の表面全体のうち、赤外線通信素子８０ａ〜８２ａ，８５ａ間での通信が可能となるような最小限の部位を実験的に見つける等して、そのような位置にのみを凹凸形状に加工してもよい。
【００７３】
また、電装品箱１０を凹凸形状に加工することに加えて、またはその代替として、電装品箱１０とは別の既に室外ユニット１に備え付けられている適当な部材に反射面を形成してもよいし、あるいは、赤外線の反射用に新たな部材を用意してもよい。さらに、これらの反射部材は、電装品箱１０の内部に配置されていてもよいし、外部に配置されていてもよい。このような例としては、電装品箱１０の内部または外部の所定の位置に表面が凹凸形状に加工されたシート等を貼り付けてもよいし、あるいは、電装品箱１０の内部または外部の所定の位置に反射板を取り付けてもよい。この場合、内側表面が凹凸形状に加工された電装品箱を新たに開発することなく、従来の電装品箱を用いて本発明にかかる電装品箱を製造することができる。また、上記反射部材をその反射面が所定の角度に傾くように調節して配置することにより、赤外線通信素子８０ａ〜８２ａ，８５ａ間での通信をより確実なものとすることができる。
【００７４】
（Ｅ）
上記実施形態では、インバータ基板８０〜８２が略同一平面上に配置されており、制御基板８５とインバータ基板８０〜８２とが対面することなく略平行に配置されている。しかしながら、本発明は、複数の制御ユニットどうしが所定の角度をもって配置されている場合にも適用可能である。すなわち、制御基板８５およびインバータ基板８０〜８２どうしが所定の角度をもって（例えば、直交して対面するように）配置されていたとしても、必ずしも確実に赤外線通信が行われるとは限らないため、電装品箱１０を凹凸形状に加工したり、反射部材をその反射面が赤外線通信素子８０ａ〜８２ａ，８５ａ間での赤外線通信を促すような所定の角度に傾くように調節して配置したりすることは、効果的である。
【００７５】
（Ｆ）
上記変形例（Ａ）〜（Ｅ）は、任意に組み合わせることが可能である。
【００７６】
＜第２実施形態＞
図７を参照して、第２実施形態にかかる室外ユニット１０１について説明する。図７は、正面板２１側から見た場合の、室外ユニット１０１を説明する上で主要な部品の位置関係を示す図である。なお、室外ユニット１０１に含まれる構成要素のうち、第１実施形態にかかる室外ユニット１と共通するものについては、同じ参照符号を付して説明を省略する。以下では、室外ユニット１０１について、第１実施形態にかかる室外ユニット１との差異を中心に説明する。すなわち、以下に説明されない事項については、室外ユニット１と室外ユニット１０１とは同様の構成を有しているものとする。
【００７７】
室外ユニット１０１のケーシング２０の内部には、電装品箱１０とは別に電装品箱１１０が配置されている。
【００７８】
この電装品箱１１０の下面部には、開口１１０ａが形成されており、内部に制御基板１８０が収納されている。制御基板１８０には、空調運転を制御するマイコン（図示されない）と、赤外線通信素子１８０ａとが搭載されている。この電装品箱１１０の内側表面の略全体は、電装品箱１０と同様に、赤外線を乱反射させるような凹凸形状を有するように加工されている。制御基板１８０は、電装品箱１０に収納されている制御基板８５との間で赤外線を介した無線通信を行っている。矢印Ａ，Ｂで示されるように、制御基板１８０の赤外線通信素子１８０ａから発信された赤外線は、電装品箱１１０の内側表面で反射して開口１１０ａを介して電装品箱１１０外へと進み、電装品箱１０に設けられている開口６１，７０，７１，７２のいずれかを介して（図７では、開口７０を介して）電装品箱１０内に到達し、さらに電装品箱１０の反射面で反射されて制御基板８５に搭載されている赤外線通信素子８５ａまで到達する。また、赤外線通信素子８５ａから赤外線通信素子１８０ａに向けて発信された赤外線は、これと逆の経路をたどることになる。
【００７９】
そして、本実施形態においては、電装品箱１０，１１０外での赤外線の進路は、ケーシング２０の内側表面や圧縮機３１等の部品の表面において反射により曲げられ、その結果、目的とする赤外線通信素子８５ａまたは赤外線通信素子１８０ａまでたどりつくようになっている。しかしながら、図８に示されるように、電装品箱１０，１１０の内外に赤外線の反射用に新たな部材１５０を設置することにより、赤外線通信素子８５ａ，１８０ａ間での通信をより確実なものとすることもできる。このとき、新たに設置された反射部材１５０は、その反射面が所定の角度に傾くように配置されている。
【００８０】
また、電装品箱１１０には、制御基板１８０に追加して、またはその代替として、他の種類の制御ユニットが収納されていてもよい。
【００８１】
また、第１実施形態の室外ユニット１の変形例（Ａ）〜（Ｆ）を第２実施形態にかかる室外ユニット１０１に適用することも可能である。特に、電装品箱１０に対して施す変形を電装品箱１１０に対しても施すことが可能である。
【産業上の利用可能性】
【００８２】
本発明は、複数の制御ユニットを備える空調ユニットとして有用であり、空調ユニットのケーシングの内部に配置される複数の制御ユニット間を引き回す配線数を低減し、その結果、ノイズを抑制することができるという効果を有する。
【図面の簡単な説明】
【００８３】
【図１】本発明の第１実施形態にかかる空気調和装置の室外ユニットの外観斜視図。
【図２】電装品箱の外観斜視図。
【図３】電装品箱の箱本体内の正面図。
【図４】仕切部材を取り外した状態での電装品箱の箱本体内の正面図。
【図５】後面部全体を見渡せるような角度から見た箱本体の外観斜視図。
【図６】箱本体を鉛直下方から見た図。
【図７】本発明の第２実施形態にかかる室外ユニットの主要部品の位置関係を示す図。
【図８】本発明の第２実施形態の変形例にかかる室外ユニットの主要部品の位置関係を示す図。
【符号の説明】
【００８４】
１，１０１  室外ユニット（空調ユニット）
１０，１１０  電装品箱（反射部材）
３１ａ  インバータ圧縮機（インバータ部品）
４０，４１  送風ファン（インバータ部品）
２０  ケーシング（反射部材）
８０，８１，８２  インバータ基板（第１制御ユニット、第２制御ユニット）
８５，１８０  制御基板（第１制御ユニット、第２制御ユニット）
１５０  反射部材
【図１】
2008101867.tif 000003
【図２】
2008101867.tif 000004
【図３】
2008101867.tif 000005
【図４】
2008101867.tif 000006
【図５】
2008101867.tif 000007
【図６】
2008101867.tif 000008
【図７】
2008101867.tif 000009
【図８】
2008101867.tif 000010
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
空気吸込口（２０ａ）および空気吹出口（２０ｂ）が設けられたケーシング（２０）と、
前記ケーシング（２０）の内部に配置される第１制御ユニット（８０〜８２，８５，１８０）と、
前記ケーシング（２０）の内部に配置され、前記第１制御ユニット（８０〜８２，８５，１８０）と光無線通信を行う第２制御ユニット（８０〜８２，８５，１８０）と、
前記第１制御ユニット（８０〜８２，８５，１８０）および前記第２制御ユニット（８０〜８２，８５，１８０）の一方の制御ユニットから発信された光を他方の制御ユニットに向かうように乱反射させる凹凸面を有する反射部材（１０，１１０，１５０）と、
を備える、空調ユニット（１，１０１）。
【請求項２】
前記第１制御ユニット（８０〜８２，８５，１８０）を収納し、第１孔（６１，７０，７１，７２，１１０ａ）が形成される第１電装品箱（１０，１１０）と、
前記第２制御ユニット（８０〜８２，８５，１８０）を収納し、第２孔（６１，７０，７１，７２，１１０ａ）が形成される第２電装品箱（１０，１１０）と、
をさらに備え、
前記第１制御ユニットおよび前記第２制御ユニットの一方の制御ユニットから発信された光は、前記第１孔および前記第２孔を介して他方の制御ユニットに到達する、
請求項１に記載の空調ユニット（１０１）。
【請求項３】
ケーシング（２０）と、
前記ケーシング（２０）の内部に配置される第１制御ユニット（８０〜８２，８５，１８０）と、
前記ケーシング（２０）の内部に配置され、前記第１制御ユニット（８０〜８２，８５，１８０）と光無線通信を行う第２制御ユニット（８０〜８２，８５，１８０）と、
前記第１制御ユニット（８０〜８２，８５，１８０）および前記第２制御ユニット（８０〜８２，８５，１８０）を収納し、前記第１制御ユニット（８０〜８２，８５，１８０）および前記第２制御ユニット（８０〜８２，８５，１８０）を冷却するための空気を流入させる開口（７０〜７２）および流出させる開口（６１）が設けられた電装品箱（１０，１１０）と、
を備え、
前記電装品箱（１０，１１０）は、前記第１制御ユニット（８０〜８２，８５，１８０）および前記第２制御ユニット（８０〜８２，８５，１８０）の一方の制御ユニットから発信された光を他方の制御ユニットに向かうように乱反射させる凹凸面を有する、
空調ユニット（１，１０１）。
【請求項４】
前記第１制御ユニット（８０〜８２，８５，１８０）と前記第２制御ユニット（８０〜８２，８５，１８０）とは、赤外線通信を行う、
請求項１から３のいずれかに記載の空調ユニット（１，１０１）。
【請求項５】
前記第１制御ユニット（８０〜８２，８５，１８０）は、空調運転を制御するマイコンを有する制御基板（８５，１８０）、または、インバータ部品（３１ａ，４０，４１）を制御するインバータ基板（８０〜８２）であり、
前記第２制御ユニット（８０〜８２，８５，１８０）は、空調運転を制御するマイコンを有する制御基板（８５，１８０）、または、インバータ部品（３１ａ，４０，４１）を制御するインバータ基板（８０〜８２）である、
請求項１から４のいずれかに記載の空調ユニット（１，１０１）。
【請求項６】
前記第１制御ユニットおよび前記第２制御ユニットの少なくとも一方（８５）は、外部通信機器と無線通信可能である、
請求項１から５のいずれかに記載の空調ユニット（１，１０１）。
【手続補正２】
【補正対象書類名】明細書
【補正対象項目名】全文
【補正方法】変更
【補正の内容】
【発明の詳細な説明】
【技術分野】
【０００１】
本発明は、空調ユニットに関し、特に、複数の制御ユニットを備える空調ユニットに関する。
【背景技術】
【０００２】
空気調和装置の室外ユニットや室内ユニット等の空調ユニットには、そのケーシングの内部にプリント基板等の制御ユニットが複数搭載されていることがある。このような複数の制御ユニットは、互いにハーネス等の配線を介して接続されており、互いにデータをやりとりしながら空調運転全体を統括したり、インバータ圧縮機やインバータファン等の部品を制御したりしている。
【０００３】
そして、複数の制御ユニット間で配線を引き回す場合には、当該配線からノイズが発生したり、当該配線が発熱部品の影響を受けたり等することがないように、その配置を工夫する必要がある（例えば、特許文献１）。
【特許文献１】特開平１０−２８４８１０号公報
【発明の開示】
【発明が解決しようとする課題】
【０００４】
しかしながら、配線の配置をいかに工夫しようとも、配線からのノイズを完全になくすることは困難であり、配線からのノイズは依然として残留し得る。特に、近年では、空調ユニット自体の小型化に伴って配線の配置の自由度が下がってきており、配線の配置に工夫を施すことにより配線からのノイズを抑制することは益々困難なものとなってきている。
【０００５】
本発明の課題は、空調ユニットのケーシングの内部に配置される複数の制御ユニット間を引き回す配線数を低減し、その結果、ノイズを抑制することにある。
【課題を解決するための手段】
【０００６】
第１発明にかかる空調ユニットは、ケーシングと、第１制御ユニットと、第２制御ユニットと、反射部材とを備える。ケーシングには、空気吸込口および空気吹出口が設けられている。第１制御ユニットは、ケーシングの内部に配置されている。第２制御ユニットは、ケーシングの内部に配置されており、第１制御ユニットと光無線通信を行う。反射部材は、第１制御ユニットおよび第２制御ユニットの一方の制御ユニットから発信された光を他方の制御ユニットに向かうように乱反射させる凹凸面を有する。
【０００７】
この空調ユニットでは、そのケーシングの内部に配置される複数の制御ユニット（第１制御ユニットおよび第２制御ユニット）間における通信が無線で行われる。これにより、この空調ユニットでは、そのケーシングの内部に配置される複数の制御ユニット間を引き回す配線数を低減することができ、その結果、ノイズを抑制することができる。
【０００８】
一般に、赤外線などの光には、その進路に障害物が存在する場合には通信が困難になるという性質がある。そこで、この空調ユニットには、一方の制御ユニットから発信された光を他方の制御ユニットまで届きやすくする工夫が施されている。具体的には、この空調ユニットには、光の反射部材が設けられている。これにより、この空調ユニットでは、障害物が存在する場合であっても、複数の制御ユニット間における光無線通信を精度良く実現することができる。
【０００９】
この空調ユニットでは、光の反射部材に光を乱反射させる凹凸面が形成されている。これにより、この空調ユニットでは、複数の制御ユニット間における光無線通信をより精度良く実現することができる。
【００１０】
第２発明にかかる空調ユニットは、第１発明にかかる空調ユニットであって、第１電装品箱と、第２電装品箱とをさらに備える。第１電装品箱は、第１制御ユニットを収納し、第２電装品箱は、第２制御ユニットを収納する。第１電装品箱には、第１孔が形成されており、第２電装品箱には、第２孔が形成されている。第１制御ユニットおよび第２制御ユニットの一方の制御ユニットから発信された光は、第１孔および第２孔を介して他方の制御ユニットに到達する。
【００１１】
この空調ユニットでは、別々の電装品箱に収納されている複数の制御ユニット間における通信が光を介して行われる。そして、これらの複数の電装品箱にはそれぞれ孔が形成されており、複数の制御ユニット間での光の授受がこれらの孔（第１孔および第２孔）を介して行われるようになっている。これにより、この空調ユニットでは、複数の制御ユニットが別々の電装品箱に収納されている場合であっても、複数の制御ユニット間における光無線通信を精度良く実現することができる。
【００１２】
第３発明にかかる空調ユニットは、ケーシングと、第１制御ユニットと、第２制御ユニットと、電装品箱とを備える。第１制御ユニットは、ケーシングの内部に配置されている。第２制御ユニットは、ケーシングの内部に配置され、第１制御ユニットと光無線通信を行う。電装品箱は、第１制御ユニットおよび第２制御ユニットを収納する。電装品箱には、第１制御ユニットおよび第２制御ユニットを冷却するための空気を流入させる開口および流出させる開口が設けられている。電装品箱は、第１制御ユニットおよび第２制御ユニットの一方の制御ユニットから発信された光を他方の制御ユニットに向かうように乱反射させる凹凸面を有する。
【００１３】
この空調ユニットでは、そのケーシングの内部に配置される複数の制御ユニット（第１制御ユニットおよび第２制御ユニット）間における通信が無線で行われる。これにより、この空調ユニットでは、そのケーシングの内部に配置される複数の制御ユニット間を引き回す配線数を低減することができ、その結果、ノイズを抑制することができる。
【００１４】
一般に、赤外線などの光には、その進路に障害物が存在する場合には通信が困難になるという性質がある。そこで、この空調ユニットには、一方の制御ユニットから発信された光を他方の制御ユニットまで届きやすくする工夫が施されている。具体的には、この空調ユニットでは、制御ユニットを収納する電装品箱に光の反射面が形成されている。これにより、この空調ユニットでは、障害物が存在する場合であっても、複数の制御ユニット間における光無線通信を精度良く実現することができる。
【００１５】
この空調ユニットでは、１つの電装品箱に収納されている複数の制御ユニット間における通信が光を介して行われる。一般に、電装品箱内における制御ユニット等の各部品の配置は、ノイズの他、各部品からの発熱量を考慮して決定されることが多い。また、こうした各部品の配置は、電装品箱の形状およびサイズにも依存することになる。
【００１６】
一方、第３発明にかかる空調ユニットでは、電装品箱に光の反射面が形成されているため、その電装品箱内での複数の制御ユニットの配置が発熱等の対策を優先して決定される場合であっても、複数の制御ユニット間における光無線通信を精度良く実現することができる。
【００１７】
この空調ユニットでは、制御ユニットを収納する電装品箱に光を乱反射させる凹凸面が形成されている。これにより、この空調ユニットでは、複数の制御ユニット間における光無線通信をより精度良く実現することができる。
【００１８】
第４発明にかかる空調ユニットは、第１発明から第３発明のいずれかにかかる空調ユニットであって、第１制御ユニットと第２制御ユニットとは、赤外線通信を行う。
【００１９】
この空調ユニットでは、そのケーシングの内部に配置される複数の制御ユニット間における通信が赤外線を介して行われる。これにより、この空調ユニットでは、ノイズをより抑制することができる。
【００２０】
第５発明にかかる空調ユニットは、第１発明から第４発明のいずれかにかかる空調ユニットであって、第１制御ユニットは、空調運転を制御するマイコンを有する制御基板、または、インバータ部品を制御するインバータ基板である。第２制御ユニットは、空調運転を制御するマイコンを有する制御基板、または、インバータ部品を制御するインバータ基板である。
【００２１】
この空調ユニットでは、複数の制御基板間、複数のインバータ基板間、または、制御基板とインバータ基板との間における通信が光で行われる。これにより、この空調ユニットでは、制御基板、インバータ基板、またはその双方に起因して生じるノイズを抑制することができる。
【００２２】
第６発明にかかる空調ユニットは、第１発明から第５発明のいずれかにかかる空調ユニットであって、第１制御ユニットおよび第２制御ユニットの少なくとも一方は、外部通信機器と無線通信可能である。
【００２３】
一般に、空調ユニットのメンテナンス時等には、制御ユニットが点検用のパソコン等の外部通信機器に接続され、空調ユニットの状態がモニタリングされることがある。そして、第６発明にかかる空調ユニットでは、こうした制御ユニットと外部通信機器との間における通信が無線で行われるようになっている。これにより、この空調ユニットでは、メンテナンス時等に制御ユニットを簡易に外部通信機器に接続することができる。
【発明の効果】
【００２４】
第１発明にかかる空調ユニットでは、そのケーシングの内部に配置される複数の制御ユニット間を引き回す配線数を低減することができ、その結果、ノイズを抑制することができる。
【００２５】
また、障害物が存在する場合であっても、複数の制御ユニット間における光無線通信を精度良く実現することができる。
【００２６】
第２発明にかかる空調ユニットでは、複数の制御ユニットが別々の電装品箱に収納されている場合であっても、複数の制御ユニット間における光無線通信を精度良く実現することができる。
【００２７】
第３発明にかかる空調ユニットでは、そのケーシングの内部に配置される複数の制御ユニット間を引き回す配線数を低減することができ、その結果、ノイズを抑制することができる。
【００２８】
また、障害物が存在する場合であっても、複数の制御ユニット間における光無線通信を精度良く実現することができる。
【００２９】
また、その電装品箱内での複数の制御ユニットの配置が発熱等の対策を優先して決定される場合であっても、複数の制御ユニット間における光無線通信を精度良く実現することができる。
【００３０】
第４発明にかかる空調ユニットでは、ノイズをより抑制することができる。
【００３１】
第５発明にかかる空調ユニットでは、制御基板、インバータ基板、またはその双方に起因して生じるノイズを抑制することができる。
【００３２】
第６発明にかかる空調ユニットでは、メンテナンス時等に制御ユニットを簡易に外部通信機器に接続することができる。
【発明を実施するための最良の形態】
【００３３】
以下、図面を参照して、本発明の第１実施形態および第２実施形態について説明する。
【００３４】
＜第１実施形態＞
〔室外ユニット〕
図１に、本発明の第１実施形態にかかる空気調和装置の室外ユニット１の外観斜視図を示す。なお、図１においては、ケーシング２０の内部に配置される電装品箱１０、熱交換器３０および圧縮機３１を点線で示している。
【００３５】
室外ユニット１は、複数の室内ユニット（図示されず）に冷媒連絡配管を介して並列に接続され、これらの複数の室内ユニット等とともにマルチタイプの空気調和装置を構成している。室外ユニット１は、ビルの屋上等に設置され、室内ユニットは、そのビルの各フロアの天井等に設置される。室外ユニット１のケーシング２０の内部には、熱交換器３０、３台の圧縮機３１ａ〜３１ｃ（まとめて、圧縮機３１）、２台の送風ファン４０，４１および電装品箱１０が収納されている。
【００３６】
ケーシング２０は、略直方体形状であり、主として、正面板２１と、左側面板２２と、背面板２３と、右側面板２４と、天板２５と、底板２６とから構成されている。なお、本明細書中において、左右をいうときには、正面板２１側から見た場合を基準とするものとする。
【００３７】
側面板２２，２４には、ケーシング２０内に空気を吸い込むための空気吸込口２０ａが設けられている。また、背面板２３は、格子状の軟骨線のグリルとなっている。天板２５には、円孔が２箇所に設けられており、これらの円孔は、略円筒形状のベルマウスとともに室外ユニット１の空気吹出口２０ｂを形成している。
【００３８】
また、正面板２１は、天板２５の下側に配置される上部正面板２１ａと、上部正面板２１ａの下側かつ左側に配置される左側中部正面板２１ｂと、左側中部正面板２１ｂの下側に配置される左側下部正面板２１ｃと、上部正面板２１ａの下側かつ右側に配置される右側中部正面板２１ｄと、右側中部正面板２１ｄの下側に配置される右側下部正面板２１ｅとから構成されている。このように、正面板２１は、上中下または左右に５分割の構造になっており、室外ユニット１のメンテナンス時に正面板２１の前に立つ作業者は、板２１ａ〜２１ｅの一部のみを取り外すことにより、メンテナンスの対象となる部品にアクセスすることができる。
【００３９】
底板２６上には、熱交換器３０や圧縮機３１等の機器やこれらの機器を接続する配管等が据え付けられている。熱交換器３０は、左側面板２２、背面板２３および右側面板２４に対向するように配置されている。圧縮機３１は、インバータ基板８０（図４参照）により回転数制御が為される１台の容量可変の圧縮機（以下、インバータ圧縮機という。）３１ａと、オンオフ制御が為される２台の定容量の圧縮機（以下、定容量圧縮機という。）３１ｂ，３１ｃとが組み合わされたものである。
【００４０】
送風ファン４０，４１は、複数のプロペラ翼を有するプロペラファンであり、ケーシング２０内の上部に設けられた空気吹出口２０ｂ付近に図示されないステー等によって支持されることにより設置されている。送風ファン４０，４１は、それぞれファン用インバータ基板８１，８２により回転数制御が為されるインバータ部品である。そして、送風ファン４０，４１が駆動されると、ケーシング２０内に気流が形成される。すなわち、空気が側面板２２，２４および背面板２３を介してケーシング２０の外部から内部へと吸い込まれ、熱交換器３０を通り抜けて送風ファン４０，４１の近傍の空間に達し、その後、空気吹出口２０ｂを介してケーシング２０の内部から外部へと吹き出されることになる。
【００４１】
そして、ケーシング２０内の右上かつ正面板２１側には、電装品箱１０が図示されないステー等に支持されることにより設置されている。電装品箱１０は、インバータ圧縮機３１ａ用のインバータ基板８０、送風ファン４０，４１用のインバータ基板８１，８２、制御基板８５等の電気部品を収納する箱体である（図３および図４参照）。電装品箱１０は、右側中部正面板２１ｄに対向するように配置されており、右側中部正面板２１ｄを取り外すことにより室外ユニット１の正面板２１側からアクセス可能になっている。
【００４２】
〔電装品箱〕
以下、図２〜図６を参照して、電装品箱１０について詳しく説明する。ここで、図２は、電装品箱１０の外観斜視図である。図３は、箱本体１２内の正面図であって、手前側空間Ｃにおける電気部品の配置を示しており、図４は、仕切部材１３を取り外した状態での箱本体１２内の正面図であって、奥側空間Ｄにおける電気部品の配置を示している。図５は、後面部１２ｂ全体を見渡せるような角度から見た箱本体１２の外観斜視図である。図６は、箱本体１２を鉛直下方から見た図である。
【００４３】
電装品箱１０は、主として、蓋部材１１と、箱本体１２と、仕切部材１３とから構成されている。箱本体１２は、一方向が開口した略直方体形状の箱状の部材である。蓋部材１１は、箱本体１２にネジ留めされることにより箱本体１２の開口を覆う略矩形形状の板状の部材である。仕切部材１３は、箱本体１２の内部空間をケーシング２０の正面板２１側（すなわち、蓋部材１１側）の手前側空間Ｃと、ケーシング２０の背面板２３側（すなわち、後述する後面部１２ｂ側）の奥側空間Ｄとに仕切るように設けられている。すなわち、電装品箱１０は、２層構造になっている。
【００４４】
（１）箱本体
箱本体１２は、板金製の部材であり、主として、１対の側面部１２ａと、後面部１２ｂと、上面部１２ｃと、下面部１２ｄとから構成されている。後面部１２ｂは、箱本体１２の底に相当し、側面部１２ａ、上面部１２ｃおよび下面部１２ｄは、後面部１２ｂの四辺に連続する箱本体１２の側壁に相当する。
【００４５】
図５に示されるように、後面部１２ｂには、ケーシング２０の背面板２３側に向かって突出する放熱フィン７５〜７７が設けられている。これらの放熱フィン７５〜７７は、それぞれ電装品箱１０内に配置されるインバータ基板８０〜８２に対応する位置に配置されており、これらのインバータ基板８０〜８２の冷却に寄与している。
【００４６】
図６に示されるように、下面部１２ｄは、箱本体１２の底板２６側の面を規定する部分であり、蓋部材１１側が切り欠かれている。この切り欠きによる開口７０は、電装品箱１０の外部と電装品箱１０の手前側空間Ｃとを連通させており、電装品箱１０に収納された電気部品の配線が通されるとともに、空気の通路ともなる。また、下面部１２ｄには、右側かつ後面部１２ｂよりの位置にスリット状に形成された複数の開口７１が並んで形成されており、さらに複数の開口７１の隣には円形の開口７２が形成されている。開口７１，７２は、電装品箱１０の外部と電装品箱１０の奥側空間Ｄとを連通させている。開口７２は、電装品箱１０に収納された電気部品からの配線が通される。そして、送風ファン４０，４１が駆動すると、ケーシング２０内において下方から上方へと向かう気流が発生し、開口７０〜７２を介して電装品箱１０内へと空気が流入する。
【００４７】
（２）蓋部材
蓋部材１１は、板金製の部材である。図２に示されるように、蓋部材１１の上端部６０は、上方かつ電装品箱１０の内部へと向かって傾斜している。これにより、蓋部材１１が箱本体１２に固定された状態において、上端部６０付近に開口６１が形成されることになり、電装品箱１０の手前側空間Ｃと電装品箱１０の外部とが連通する。
【００４８】
（３）仕切部材
仕切部材１３は、板金製の部材であり、図３に示されるように、主として、上部仕切部材１３ａと、下部仕切部材１３ｂとから構成されている。上部仕切部材１３ａは、箱本体１２内の上部に配置されており、下部仕切部材１３ｂは、箱本体１２内の下部に配置されている。
【００４９】
上部仕切部材１３ａと上面部１２ｃとの間には、手前側空間Ｃと奥側空間Ｄとを連通させる連通口５０が形成されており、上下方向に並ぶ上部仕切部材１３ａと下部仕切部材１３ｂとの間には、手前側空間Ｃと奥側空間Ｄとを連通させる連通口５１が形成されている。
【００５０】
（４）電気部品の配置
次に、図３および図４を参照して、電装品箱１０内における電気部品の配置について説明する。
【００５１】
奥側空間Ｄに収納される電気部品としては、インバータ圧縮機３１ａ用のインバータ基板８０、送風ファン４０，４１用のインバータ基板８１，８２、リアクタ８３およびノイズフィルタ８４等があり、手前側空間Ｃに収納される電気部品としては、制御基板８５および端子台８６等がある。これらの電気部品のうち、インバータ基板８０〜８２およびリアクタ８３は、運転中の発熱量が大きい高発熱部品であり、ノイズフィルタ８４、制御基板８５および端子台８６は、運転中の発熱量が小さい低発熱部品である。制御基板８５には、空調運転を制御するマイコン（図示されない）が搭載されている。
【００５２】
高発熱部品であるインバータ基板８０〜８２およびリアクタ８３は、運転中の冷却を促進するため、奥側空間Ｄに配置されている。具体的には、インバータ圧縮機３１ａ用のインバータ基板８０は、後面部１２ｂの左上であって図５に示す放熱フィン７５に対応する位置に、送風ファン４０用のインバータ基板８１は、後面部１２ｂの右上であって図５に示す放熱フィン７６に対応する位置に、送風ファン４１用のインバータ基板８２は、後面部１２ｂの右下であって図５に示す放熱フィン７７に対応する位置に、リアクタ８３は、後面部１２ｂ上であってインバータ基板８１の上側に配置されている。
【００５３】
また、端子台８６および制御基板８５は、室外ユニット１の設置後にアクセスをする頻度が多いという特性を考慮して、手前側空間Ｃに配置されている。具体的には、端子台８６は下部仕切部材１３ｂの左側に装着されており、制御基板８５は上部仕切部材１３ａの右側に装着されている。一方、室外ユニット１の設置後にアクセスする頻度が少ないノイズフィルタ８４は、奥側空間Ｄに配置されている。具体的には、ノイズフィルタ８４は、後面部１２ｂの左下に配置されている。なお、本実施形態では採用されていないが、上部仕切部材１３ａの左側に付加的に制御基板８５とは別の制御基板を装着することも可能である。そして、この付加的に装着される制御基板も、制御基板８５と同様に、後述するような赤外線通信素子を搭載していてもよい。
【００５４】
以上より、電気部品８０〜８６は、電装品箱１０内において互いに対面することなく略平行に配置されている。
【００５５】
（５）電装品箱内の空気の流れ
室外ユニット１の運転中は、送風ファン４０，４１により、電装品箱１０内にも気流が形成されることになる。すなわち、ケーシング２０の外部から内部へと吸い込まれた空気が、開口７０を介して電装品箱１０の手前側空間Ｃへと流入するとともに、開口７１，７２を介して電装品箱１０の奥側空間Ｄにも流入する。開口７０を介して電装品箱１０の手前側空間Ｃへと取り込まれた空気は、下部仕切部材１３ｂに沿って連通口５１付近へと進み、図示されない風量調節板によりその大部分が連通口５１を通り抜けて奥側空間Ｄへと導かれる。一方、開口７１を介して奥側空間Ｄに取り込まれた空気は、ファン用インバータ基板８２を冷却しながら後面部１２ｂに沿って上方へと進み、連通口５１付近で手前側空間Ｃからの流れと合流する。合流後の空気は、奥側空間Ｄの上部に配置されているインバータ基板８０，８１およびリアクタ８３を冷却しながら奥側空間Ｄをさらに上昇する。そして、上面部１２ｃ付近に達した空気は、上部仕切部材１３ａと上面部１２ｃとの間に形成されている連通口５０を介して再び手前側空間Ｃへと戻り、電装品箱１０の蓋部材１１に形成されている開口６１を介して電装品箱１０の外部へと流出する。
【００５６】
（６）電気部品間の通信
図３および図４に示されるように、インバータ基板８０〜８２および制御基板８５には、それぞれ赤外線通信素子８０ａ〜８２ａ，８５ａが搭載されている。これにより、インバータ基板８０〜８２および制御基板８５は、互いに赤外線を介した無線通信が可能となっており、互いにデータをやりとりしながら空調運転全体を統括したり、インバータ圧縮機３１ａや送風ファン４０，４１等の部品を制御したりしている。
【００５７】
そして、電装品箱１０の蓋部材１１および箱本体１２の内側表面の略全体、ならびに仕切部材１３の表面の略全体が、赤外線を乱反射するような凹凸形状を有するように加工されている。これにより、奥側空間Ｄにおいて概ね同一平面上に配置されている赤外線通信素子８０ａ〜８２ａ間での赤外線の授受、ならびに、手前側空間Ｃに配置されている赤外線通信素子８５ａと奥側空間Ｄに配置されている赤外線通信素子８０ａ〜８２ａとの間での赤外線の授受が容易になっている。
【００５８】
例えば、手前側空間Ｃ内の赤外線通信素子８５ａから発信された赤外線は、蓋部材１１の内側表面で反射して連通口５０または連通口５１を通り抜け、奥側空間Ｄ内の赤外線通信素子８０ａ〜８２ａまで到達することができる。また、例えば、奥側空間Ｄ内の赤外線通信素子８０ａから発信された赤外線は、上部仕切部材１３ａまたは下部仕切部材１３ｂの後面部１２ｂに対向する側の面で反射して、同じく奥側空間Ｄ内の赤外線通信素子８１ａ，８２ａまで到達することができる。
【００５９】
また、電装品箱１０の内外は、電装品箱１０に設けられている開口６１，７０，７１，７２を介して連通している。また、赤外線通信素子８０ａ〜８２ａ，８５ａにおいて実装されている赤外線通信プロトコルは、一般に空気調和装置の点検に用いられるような汎用のパソコンに搭載されている汎用の赤外線通信素子において実装される汎用の赤外線通信プロトコルである。したがって、メンテナンス時においては、ケーシング２０の正面板２１（より正確には、少なくとも右側中部正面板２１ｄ）を取り外すだけで、制御基板８５に赤外線通信機能を有する機器との間で通信を行わせることができる。
【００６０】
〔特徴〕
第１実施形態の室外ユニット１には、以下のような特徴がある。
【００６１】
（１）
室外ユニット１では、同じ電装品箱１０に収納されているインバータ基板８０〜８２および制御基板８５間における通信が無線で行われている。したがって、室外ユニット１では、これらの制御ユニット８０〜８２，８５間で配線を引き回す必要がなく、その結果、ノイズを抑制し、低コスト化や小型化を図ることが可能となっている。
【００６２】
（２）
室外ユニット１では、インバータ基板８０〜８２および制御基板８５間における無線通信が赤外線を介して行われているため、ノイズが極小化されている。また、ケーシング２０の内側表面が赤外線を反射させるため、これらの制御ユニット８０〜８２，８５間で授受される赤外線は、ケーシング２０の外部へと漏れにくくなっている。したがって、室外ユニット１では、制御ユニット８０〜８２，８５間で送受信されるデータが傍受されにくくなっており、制御ユニット８０〜８２，８５間の通信のセキュリティが十分に確保されている。さらに、従来の電気的な有線通信に付随する絶縁処理も不要となっている。
【００６３】
（３）
一般に、赤外線には、その進路に障害物が存在する場合には通信が困難になるという性質がある。したがって、複数の制御ユニット間での通信を可能にするためには、制御ユニットどうし（より正確には、赤外線通信素子どうし）を対面させる必要があるが、電装品箱内における制御ユニットの配置は、各電気部品からの発熱量や電装品箱の形状およびサイズ等の要因を考慮して決定する必要があり、制御ユニットどうしを対面させることは必ずしも容易ではない。一方、室外ユニット１では、電装品箱１０が板金製であり、さらには、電装品箱１０の蓋部材１１および箱本体１２の内側表面の略全体、ならびに仕切部材１３の表面の略全体が、赤外線を乱反射するような凹凸形状を有するように加工されている。そのため、インバータ基板８０〜８２および制御基板８５間における赤外線の授受が確実に行われるようになっている。
【００６４】
（４）
赤外線通信素子８０ａ〜８２ａ，８５ａでは、汎用の通信プロトコルが実装されており、この通信プロトコルは、一般に空気調和装置の点検に用いられるような汎用のパソコンと共通するものとなっている。したがって、メンテナンス時等に制御基板８５を容易に外部通信機器に接続させることができる。
【００６５】
〔変形例〕
（Ａ）
本発明は、ビル用マルチタイプ以外の空気調和装置にも適用可能である。また、本発明は、室外ユニットにのみ適用されるものではなく、例えば、室内ユニットにも適用可能である。すなわち、本発明は、制御基板やインバータ基板等の複数の制御ユニットを備える任意の空調ユニットに適用可能である。
【００６６】
（Ｂ）
制御基板８５およびインバータ基板８０〜８２間においては、任意の態様の無線通信が可能であるが、ノイズを抑制する観点からは光を介する通信がより好ましい。特に、赤外線を介する場合には、コストを抑えることができる。
【００６７】
（Ｃ）
制御基板８５およびインバータ基板８０〜８２以外の制御ユニットの行う通信についても、無線化することが可能である。また、このような制御ユニットとしては、例えば、インバータ圧縮機３１ａ、定容量圧縮機３１ｂ，３１ｃおよび送風ファン４０，４１のモータ等がある。この場合、これらのモータと、制御基板８５やインバータ基板８０〜８２との配線が不要になるため、さらにノイズが抑制され、コストが低減されることになる。このように、本発明による無線通信化は、電装品箱の内外に配置されている部品どうしに対しても適用可能である。
【００６８】
（Ｄ）
電装品箱１０の蓋部材１１および箱本体１２の内側表面の略全体、ならびに仕切部材１３の表面の略全体が、赤外線を乱反射するような凹凸形状を有するように加工されていなくてもよい。例えば、蓋部材１１および箱本体１２の内側表面全体、ならびに仕切部材１３の表面全体のうち、赤外線通信素子８０ａ〜８２ａ，８５ａ間での通信が可能となるような最小限の部位を実験的に見つける等して、そのような位置にのみを凹凸形状に加工してもよい。
【００６９】
また、電装品箱１０を凹凸形状に加工することに加えて、またはその代替として、電装品箱１０とは別の既に室外ユニット１に備え付けられている適当な部材に反射面を形成してもよいし、あるいは、赤外線の反射用に新たな部材を用意してもよい。さらに、これらの反射部材は、電装品箱１０の内部に配置されていてもよいし、外部に配置されていてもよい。このような例としては、電装品箱１０の内部または外部の所定の位置に表面が凹凸形状に加工されたシート等を貼り付けてもよいし、あるいは、電装品箱１０の内部または外部の所定の位置に反射板を取り付けてもよい。この場合、内側表面が凹凸形状に加工された電装品箱を新たに開発することなく、従来の電装品箱を用いて本発明にかかる電装品箱を製造することができる。また、上記反射部材をその反射面が所定の角度に傾くように調節して配置することにより、赤外線通信素子８０ａ〜８２ａ，８５ａ間での通信をより確実なものとすることができる。
【００７０】
（Ｅ）
上記実施形態では、インバータ基板８０〜８２が略同一平面上に配置されており、制御基板８５とインバータ基板８０〜８２とが対面することなく略平行に配置されている。しかしながら、本発明は、複数の制御ユニットどうしが所定の角度をもって配置されている場合にも適用可能である。すなわち、制御基板８５およびインバータ基板８０〜８２どうしが所定の角度をもって（例えば、直交して対面するように）配置されていたとしても、必ずしも確実に赤外線通信が行われるとは限らないため、電装品箱１０を凹凸形状に加工したり、反射部材をその反射面が赤外線通信素子８０ａ〜８２ａ，８５ａ間での赤外線通信を促すような所定の角度に傾くように調節して配置したりすることは、効果的である。
【００７１】
（Ｆ）
上記変形例（Ａ）〜（Ｅ）は、任意に組み合わせることが可能である。
【００７２】
＜第２実施形態＞
図７を参照して、第２実施形態にかかる室外ユニット１０１について説明する。図７は、正面板２１側から見た場合の、室外ユニット１０１を説明する上で主要な部品の位置関係を示す図である。なお、室外ユニット１０１に含まれる構成要素のうち、第１実施形態にかかる室外ユニット１と共通するものについては、同じ参照符号を付して説明を省略する。以下では、室外ユニット１０１について、第１実施形態にかかる室外ユニット１との差異を中心に説明する。すなわち、以下に説明されない事項については、室外ユニット１と室外ユニット１０１とは同様の構成を有しているものとする。
【００７３】
室外ユニット１０１のケーシング２０の内部には、電装品箱１０とは別に電装品箱１１０が配置されている。
【００７４】
この電装品箱１１０の下面部には、開口１１０ａが形成されており、内部に制御基板１８０が収納されている。制御基板１８０には、空調運転を制御するマイコン（図示されない）と、赤外線通信素子１８０ａとが搭載されている。この電装品箱１１０の内側表面の略全体は、電装品箱１０と同様に、赤外線を乱反射させるような凹凸形状を有するように加工されている。制御基板１８０は、電装品箱１０に収納されている制御基板８５との間で赤外線を介した無線通信を行っている。矢印Ａ，Ｂで示されるように、制御基板１８０の赤外線通信素子１８０ａから発信された赤外線は、電装品箱１１０の内側表面で反射して開口１１０ａを介して電装品箱１１０外へと進み、電装品箱１０に設けられている開口６１，７０，７１，７２のいずれかを介して（図７では、開口７０を介して）電装品箱１０内に到達し、さらに電装品箱１０の反射面で反射されて制御基板８５に搭載されている赤外線通信素子８５ａまで到達する。また、赤外線通信素子８５ａから赤外線通信素子１８０ａに向けて発信された赤外線は、これと逆の経路をたどることになる。
【００７５】
そして、本実施形態においては、電装品箱１０，１１０外での赤外線の進路は、ケーシング２０の内側表面や圧縮機３１等の部品の表面において反射により曲げられ、その結果、目的とする赤外線通信素子８５ａまたは赤外線通信素子１８０ａまでたどりつくようになっている。しかしながら、図８に示されるように、電装品箱１０，１１０の内外に赤外線の反射用に新たな部材１５０を設置することにより、赤外線通信素子８５ａ，１８０ａ間での通信をより確実なものとすることもできる。このとき、新たに設置された反射部材１５０は、その反射面が所定の角度に傾くように配置されている。
【００７６】
また、電装品箱１１０には、制御基板１８０に追加して、またはその代替として、他の種類の制御ユニットが収納されていてもよい。
【００７７】
また、第１実施形態の室外ユニット１の変形例（Ａ）〜（Ｆ）を第２実施形態にかかる室外ユニット１０１に適用することも可能である。特に、電装品箱１０に対して施す変形を電装品箱１１０に対しても施すことが可能である。
【産業上の利用可能性】
【００７８】
本発明は、複数の制御ユニットを備える空調ユニットとして有用であり、空調ユニットのケーシングの内部に配置される複数の制御ユニット間を引き回す配線数を低減し、その結果、ノイズを抑制することができるという効果を有する。
【図面の簡単な説明】
【００７９】
【図１】本発明の第１実施形態にかかる空気調和装置の室外ユニットの外観斜視図。
【図２】電装品箱の外観斜視図。
【図３】電装品箱の箱本体内の正面図。
【図４】仕切部材を取り外した状態での電装品箱の箱本体内の正面図。
【図５】後面部全体を見渡せるような角度から見た箱本体の外観斜視図。
【図６】箱本体を鉛直下方から見た図。
【図７】本発明の第２実施形態にかかる室外ユニットの主要部品の位置関係を示す図。
【図８】本発明の第２実施形態の変形例にかかる室外ユニットの主要部品の位置関係を示す図。
【符号の説明】
【００８０】
１，１０１  室外ユニット（空調ユニット）
１０，１１０  電装品箱（反射部材）
３１ａ  インバータ圧縮機（インバータ部品）
４０，４１  送風ファン（インバータ部品）
２０  ケーシング（反射部材）
８０，８１，８２  インバータ基板（第１制御ユニット、第２制御ユニット）
８５，１８０  制御基板（第１制御ユニット、第２制御ユニット）
１５０  反射部材